(57)【要約】【課題】ＤＶＤが有する第１及び第２記録層をまたいで記録された動画のストリームデータを再生する際に生ずる映像の一時停止を目立たないように、ストリームデータを記録媒体に記録することができるデータ記録装置を提供する。【解決手段】時系列順のデータを第１及び第２記録層を有するＤＶＤ１５に記録するデータ記録再生装置に、データを時系列順の複数のチャプタに区分するための情報を取得する取得手段と、ＤＶＤ１５が有する第１記録層の記憶容量を検出する容量検出手段と、容量検出手段の検出結果及び取得手段が取得した情報に基づいて、一又は時系列順の複数のチャプタからなり、第１記録層の記憶容量より低容量のデータ部分を特定する特定手段と、特定手段が特定したデータ部分をＤＶＤ１５の第１記録層に記録し、他のデータ部分を第２記録層に記録する記録手段とを備える。【選択図】図１
2007265474.tif 000002
【特許請求の範囲】
【請求項１】
時系列順のデータを複数の記録層を有する記録媒体に記録するデータ記録方法において、
データを時系列順の複数のデータ部分に区分するための情報を取得し、
取得した情報に基づいて、一又は時系列順の複数のデータ部分からなり、記録媒体が有する一の記録層の記憶容量より低容量のデータ部分を特定し、
特定したデータ部分を記録媒体の一の記録層に記録し、
他のデータ部分を他の記録層に記録する
ことを特徴とするデータ記録方法。
【請求項２】
時系列順のデータを複数の記録層を有する記録媒体に記録するデータ記録装置において、
データを時系列順の複数のデータ部分に区分するための情報を取得する取得手段と、
記録媒体が有する一の記録層の記憶容量を検出する容量検出手段と、
該容量検出手段の検出結果及び前記取得手段が取得した情報に基づいて、一又は時系列順の複数のデータ部分からなり、前記容量検出手段が検出した記憶容量より低容量のデータ部分を特定する特定手段と、
該特定手段が特定したデータ部分を前記記録層に記録し、他のデータ部分を他の記録層に記録する記録手段と
を備えることを特徴とするデータ記録装置。
【請求項３】
前記容量検出手段の検出結果に基づいて、一の記録層の記憶容量から前記特定手段が特定したデータ部分の容量を減算した容量を算出する算出手段を備え、
前記記録手段は、
前記算出手段が算出した容量を有するダミーデータを前記一の記録層に記録する手段を備える
ことを特徴とする請求項２に記載のデータ記録装置。
【請求項４】
時系列順のデータを記録媒体に記録するデータ記録方法において、
データを時系列順の複数のデータ部分に区分するための情報を取得し、
取得した情報に基づいて、一又は時系列順の複数のデータ部分からなり、記録媒体の記憶容量より低容量のデータ部分を特定し、
特定したデータ部分を記録媒体に記録する
ことを特徴とするデータ記録方法。
【請求項５】
時系列順のデータを、着脱自在に装着した記録媒体に記録するデータ記録装置において、
データを時系列順の複数のデータ部分に区分するための情報を取得する取得手段と、
記録媒体の記憶容量を検出する容量検出手段と、
該容量検出手段の検出結果及び前記取得手段が取得した情報に基づいて、一又は時系列順の複数のデータ部分からなり、前記容量検出手段が検出した記憶容量より低容量のデータ部分を特定する特定手段と、
該特定手段が特定したデータ部分を記録媒体に記録する記録手段と
を備えることを特徴とするデータ記録装置。
【請求項６】
前記記録手段がデータ部分を記録した場合、特定情報を報知する手段を備え、
前記記録手段は、
他のデータ部分を他の記録媒体に記録するようにしてある
ことを特徴とする請求項５に記載のデータ記録装置。
【発明の詳細な説明】
【技術分野】
【０００１】
本発明は、時系列順のデータを複数の記録層を有する記録媒体、又は複数の記録媒体に記録するデータ記録方法及び該データ記録方法を実施するデータ記録装置に関する。
【背景技術】
【０００２】
ハードディスク内蔵型のＤＶＤレコーダのようなデータ記録再生装置は、ハードディスクから読み出した動画のデータを、１又は複数の記録層を有する記録媒体、例えばＤＶＤ（Digital Versatile Disc）、ＢＤ（Blu-ray Disc）等に書き込む光ピックアップを備えており、ハードディスクのデータをＤＶＤに複製する機能を有している。また、データ記録再生装置は、ハードディスク又は記録媒体から動画のデータを読み出して再生する機能を有している。
【０００３】
ところが、複数の記録層にわたって記録されたデータを再生する場合、具体的には一の記録層の終了アドレスを有するセクタに記録されたデータに次いで、他の記録層の開始アドレスを有するセクタに記録されたデータを読み出して再生する場合、光ピックアップの移動に時間を要するため、データの読み出しが遅れ、映像が一時停止する虞があった。
【０００４】
上述の問題を解決するために、一の記録層の最終アドレスを有するセクタに記録されたデータ及び他の記録層の開始アドレスを有するセクタに記録されたデータを予めバッファメモリに記憶させておき、バッファメモリが記憶したデータを再生するデータ再生方法及びデータ記録再生装置が提案されている（例えば、特許文献１）。
特許文献１によれば、映像が一時停止する問題を解決することができる。
【特許文献１】特開平１０−２０８２５５号公報
【発明の開示】
【発明が解決しようとする課題】
【０００５】
しかしながら、データの記録方法は従来と同様であるため、一の記録層に記録するデータと他の記録層に記録するデータとの境目を選択することはできず、例えばハイライトシーンのデータが複数の記録層にわたって記録される虞があった。このように記録された動画のデータを、上述の機能を備えない他のデータ記録再生装置で再生した場合、ハイライトシーンで映像が一時停止するという問題が生ずる。
また、動画のデータを複数の記録媒体に記録する場合にも同様の問題が生ずる。
【０００６】
本発明は、斯かる事情に鑑みてなされたものであり、時系列順のデータを複数のデータ部分に区分するための情報、例えば、ＤＶＤ−Ｖｉｄｅｏ規格においてデータをチャプタ（PTT:Part of Title）に区分するための情報に基づいて、一又は時系列順の複数のデータ部分からなり、記録媒体が有する一の記録層の記憶容量より低容量のデータ部分を特定し、特定したデータ部分を一の記録層に記録し、他のデータ部分を他の記録層に記録することにより、再生時の映像停止箇所をデータ部分同士の区切り目に一致させ、映像停止を目立たなくすることができるデータ記録方法及び該データ記録方法を実施するデータ記録装置を提供することを目的とする。
【０００７】
本発明の他の目的は、記録媒体が有する一の記録層に空き部分が生じないように、ダミーデータを記録する手段を備えることにより、一の記録層に未記録の不連続部分が生ずることを防ぐことができるデータ記録装置を提供することにある。
【０００８】
本発明の他の目的は、時系列順のデータを複数のデータ部分に区分するための情報に基づいて、一又は時系列順の複数のデータ部分からなり、記録媒体の記憶容量より低容量のデータ部分を特定し、特定したデータ部分を前記記録媒体に記録することにより、記録媒体に記録されるデータの終端をデータ部分同士の区切り目に一致させることができるデータ記録方法及び該データ記録方法を実施するデータ記録装置を提供することにある。
【０００９】
本発明の他の目的は、一の記録媒体にデータ部分を記録した場合、特定情報、例えば他の記録媒体を要する旨の情報を報知し、未記録のデータ部分を他の記録媒体に記録するように構成することにより、時系列順のデータをデータ部分の区切り目で分けて、複数の記録媒体に記録することができるデータ記録装置を提供することにある。
【課題を解決するための手段】
【００１０】
本発明に係るデータ記録方法は、時系列順のデータを複数の記録層を有する記録媒体に記録するデータ記録方法において、データを時系列順の複数のデータ部分に区分するための情報を取得し、取得した情報に基づいて、一又は時系列順の複数のデータ部分からなり、記録媒体が有する一の記録層の記憶容量より低容量のデータ部分を特定し、特定したデータ部分を記録媒体の一の記録層に記録し、他のデータ部分を他の記録層に記録することを特徴とする。
【００１１】
本発明に係るデータ記録装置は、時系列順のデータを複数の記録層を有する記録媒体に記録するデータ記録装置において、データを時系列順の複数のデータ部分に区分するための情報を取得する取得手段と、記録媒体が有する一の記録層の記憶容量を検出する容量検出手段と、該容量検出手段の検出結果及び前記取得手段が取得した情報に基づいて、一又は時系列順の複数のデータ部分からなり、前記容量検出手段が検出した記憶容量より低容量のデータ部分を特定する特定手段と、該特定手段が特定したデータ部分を前記記録層に記録し、他のデータ部分を他の記録層に記録する記録手段とを備えることを特徴とする。
【００１２】
本発明に係るデータ記録装置は、前記容量検出手段の検出結果に基づいて、一の記録層の記憶容量から前記特定手段が特定したデータ部分の容量を減算した容量を算出する算出手段を備え、前記記録手段は、前記算出手段が算出した容量を有するダミーデータを前記一の記録層に記録する手段を備えることを特徴とする。
【００１３】
本発明に係るデータ記録方法は、時系列順のデータを記録媒体に記録するデータ記録方法において、データを時系列順の複数のデータ部分に区分するための情報を取得し、取得した情報に基づいて、一又は時系列順の複数のデータ部分からなり、記録媒体の記憶容量より低容量のデータ部分を特定し、特定したデータ部分を記録媒体に記録することを特徴とする。
【００１４】
本発明に係るデータ記録装置は、時系列順のデータを、着脱自在に装着した記録媒体に記録するデータ記録装置において、データを時系列順の複数のデータ部分に区分するための情報を取得する取得手段と、記録媒体の記憶容量を検出する容量検出手段と、該容量検出手段の検出結果及び前記取得手段が取得した情報に基づいて、一又は時系列順の複数のデータ部分からなり、前記容量検出手段が検出した記憶容量より低容量のデータ部分を特定する特定手段と、該特定手段が特定したデータ部分を記録媒体に記録する記録手段とを備えることを特徴とする。
【００１５】
本発明に係るデータ記録装置は、前記記録手段がデータ部分を記録した場合、特定情報を報知する手段を備え、前記記録手段は、他のデータ部分を他の記録媒体に記録するようにしてあることを特徴とする。
【００１６】
本発明にあっては、取得手段が取得した情報によって、記録対象のデータを時系列順の複数のデータ部分に区分することができる。例えば、ＤＶＤ−Ｖｉｄｅｏ規格におけるタイトルのデータをチャプタのデータ部分に区分する。容量検出手段は、記録媒体が有する一の記録層の記憶容量を検出する。特定手段は、容量検出手段の検出結果及び前記情報に基づいて、一又は時系列順の複数のデータ部分からなり、一の記録層の記憶容量より低容量のデータ部分を特定する。そして、記録手段は、特定されたデータ部分を一の記録層に記録し、他のデータ部分を他の記録層に記録する。
従って、記録対象のデータをデータ部分同士の区切り目で分けて、各記録層に記録することができる。
【００１７】
本発明にあっては、算出手段は、データ部分を一の記録層に記録した場合に生ずる空き容量を算出する。データ記録装置は、算出した容量と同容量のダミーデータを記録媒体の一の記録層に記録する。従って、ダミーデータ及びデータ部分が記録された一の記録層には空き部分が無くなり、前記データ部分に続く他のデータ部分を他の記録層に記録した場合であっても、記録媒体にデータの不連続部分は生じない。
【００１８】
本発明にあっては、取得手段が取得した情報によって、記録対象のデータを時系列順の複数のデータ部分に区分することができる。容量検出手段は、着脱自在に装着した記録媒体の記憶容量を検出する。特定手段は、容量検出手段の検出結果及び前記情報に基づいて、一又は時系列順の複数のデータ部分からなり、記録媒体の記憶容量より低容量のデータ部分を特定する。そして、記録手段は、特定されたデータ部分を記録媒体に記録する。
従って、記録対象のデータをデータ部分同士の区切り目で分けて、一のデータ部分を記録媒体に記録することができる。
【００１９】
本発明にあっては、特定手段が特定したデータ部分を記録媒体に記録した場合、報知手段は、特定情報、例えば他の記録媒体を要する旨の情報を報知する。そして、データ記録装置は、装着された他の記録媒体に他のデータ部分を記録する。
従って、記録対象のデータをデータ部分同士の区切り目で分けて、複数の記録媒体に記録する。
【発明の効果】
【００２０】
本発明によれば、時系列順のデータを複数のデータ部分に区分するための情報、例えば動画のデータをチャプタで区分するための情報を用いて、記録対象のデータをデータ部分同士の区切り目で分け、記録媒体が有する各記録層に記録することができる。
つまり、再生時の映像停止箇所をデータ部分同士の区切り目に一致させ、映像停止が目立たないように、データを記録媒体に記録することができる。
【００２１】
本発明によれば、一の記録層にデータの不連続部分が生ずることを防ぐことができる。
【００２２】
本発明によれば、時系列順のデータを、チャプタ等でデータ部分に区分して記録媒体に記録するため、再生される映像の終端をデータ部分同士の区切り目に一致させることができる。
つまり、再生される映像が中途半端な箇所で停止しないように、データを記録媒体に記録することができる。
【００２３】
本発明によれば、時系列順のデータを、チャプタ等でデータ部分に区分し、複数の記録媒体に記録することができる。
【発明を実施するための最良の形態】
【００２４】
以下、本発明をその実施の形態を示す図面に基づいて詳述する。
（実施の形態１）
図１は、本発明の実施の形態１に係るデータ記録方法を実施するデータ記録再生装置のブロック図である。
図中１は、アンテナＡで受信したＲＦ信号を増幅し、特定チャンネルの信号を選択するデジタルチューナであり、デジタルチューナ１は、選択した信号を復調部２に与える。
【００２５】
デジタルチューナ１から与えられた信号は、ＯＦＤＭ（Orthogonal Frequency Division Multiplexing）方式で変調されており、復調部２は、前記信号を、ＭＰＥＧ２ＴＳ（Transport Stream）形式のストリームデータに復調し、復調したストリームデータを切換部３に与える。
【００２６】
切換部３には、後述のハードディスクドライブ１２及びＤＶＤドライブ１３がバッファメモリ１７を介して接続されており、切換部３は、ハードディスクドライブ１２、ＤＶＤドライブ１３、又は復調部２より与えられた一のストリームデータを分離部４に与える。また、切換部３は、制御部１６より与えられた制御信号に応じて、分離部４に与えるストリームデータを切り換える。
【００２７】
ＴＳ形式のストリームデータは、複数のパケットから構成されている。パケットは、１乃至３番組の映像を構成する時系列順のビデオデータ及び音声データ、並びに番組配列情報（SI:Service Information）等をパケット化したものである。複数のパケットから、時系列順のビデオデータ及び音声データが復元される。
【００２８】
分離部４は、ストリームデータから一の番組のビデオデータ及び音声データに係るパケットを選択し、選択したパケットからなるビデオデータ及び音声データを、夫々図示しないビデオバッファ及び音声バッファに与える。ビデオバッファ及び音声バッファは、分離部４から与えられたビデオデータ及び音声データを夫々所定のタイミングでビデオデコーダ５及び音声デコーダ６に与える。
また、分離部４は、ストリームデータに含まれる番組配列情報を選択し、選択した番組配列情報をＥＰＧ（Electronic Program Guide）デコーダ７に与える。番組配列情報は、放送される番組のタイトル、チャンネル、放送開始時刻、放送終了時刻、及び映画、ドラマ等の番組の属するジャンル等の情報を有している。
【００２９】
ＥＰＧデコーダ７は、分離部４から与えられた番組配列情報に基づいて、番組表の画像データを生成し、生成した番組表の画像データをＯＳＤ（On Screen Display）表示処理部８に与える。ＥＰＧデコーダ７及びＯＳＤ表示処理部８による番組表のＯＳＤ表示は、制御部１６によって制御される。
【００３０】
ビデオデコーダ５は、ビデオバッファから与えらたビデオデータを、ＭＰＥＧ２の圧縮伸張方式に従って復調し、復調したビデオデータをＯＳＤ表示処理部８に与える。また、ビデオデコーダ５は、復調したビデオデータをＭＰＥＧ符号化部１１に与える。
【００３１】
ＯＳＤ表示処理部８は、ビデオデコーダ５から与えられたビデオデータの映像に、ＥＰＧデコーダ７又は制御部１６から与えられた画像データの映像をＯＳＤ表示させた映像のビデオデータを生成し、生成したビデオデータを、所定のタイミングでビデオ信号出力部９に与える。
【００３２】
音声デコーダ６は、音声バッファから与えられた音声データを、所定の圧縮伸張方式、例えばＡＡＣ（Advanced Audio Coding）又はＡＣ３（Audio Code number 3）の圧縮伸張方式に従って復調し、復調した音声データを、所定のタイミングで音声信号出力部１０に与える。また、音声デコーダ６は、復調した音声データをＭＰＥＧ符号化部１１に与える。
【００３３】
ビデオ信号出力部９及び音声信号出力部１０は、ＯＳＤ表示処理部８及び音声デコーダ６から与えられたビデオデータ及び音声データを、アナログのビデオ信号及び音声信号にＤＡ変換し、ＤＡ変換したビデオ信号及び音声信号を外部の図示しない表示装置及びスピーカに出力する。
【００３４】
ＭＰＥＧ符号化部１１は、ビデオデコーダ５及び音声デコーダ６から与えられたビデオデータ及び音声データを、ＭＰＥＧ２ＰＳ形式のストリームデータに符号化し直し、符号化したストリームデータをバッファメモリ１７を介してハードディスクドライブ１２又はＤＶＤドライブ１３に与える。
【００３５】
ＤＶＤドライブ１３は、ストリームデータを８−１６変調する変調部、変調されたストリームデータを、ＤＶＤ１５が有する第１記録層１５ａ及び第２記録層１５ｂ（図２参照）に記録する光ピックアップを備えている。また、ＤＶＤドライブ１３は、光ピックアップによってＤＶＤ１５から読み出したストリームデータを復調する図示しない復調回路を備えており、復調したストリームデータをバッファメモリ１７を介して切換部３に与える。更に、データ記録再生装置が備える図示しない筐体の正面側には、ＤＶＤ１５を出し入れするための矩形の挿入口が夫々設けられており、ＤＶＤドライブ１３は、ＤＶＤ１５を内部に装着するＤＶＤ装着部１３ａ、ＤＶＤ１５を載せてＤＶＤ装着部１３ａの内部へＤＶＤ１５を誘導する図示しないステージ、及びステージを挿入口から前後方向へスライドさせるモータを備えている。
【００３６】
ハードディスクドライブ１２は、ストリームデータを変調する変調部、変調されたプログラムデータをハードディスク１４に記録するヘッド部を備えている。また、ハードディスクドライブ１２は、ハードディスク１４から読み出したストリームデータを復調する図示しない復調回路を備えており、復調したストリームデータをバッファメモリ１７を介して切換部３に与える。
【００３７】
制御部１６は、ＣＰＵ、ＲＯＭ、ＲＡＭ等を備えたマイクロコンピュータからなり、各種ハードウェアに制御信号を与えて動作を制御する。例えば、制御部１６は、ハードディスクドライブ１２及びＤＶＤドライブ１３によるストリームデータの読み出し及び記録を制御することにより、ストリームデータを複製又は移動させる機能を備えている。
複製を行う場合、ハードディスク１４は、制御部１６の制御に従って、ハードディスク１４から読み出したストリームデータをバッファメモリ１７を介してＤＶＤドライブ１３に与え、ＤＶＤドライブ１３は、ハードディスクドライブ１２から与えられたストリームデータをＤＶＤ１５に記録する。
【００３８】
制御部１６には、遠隔操作装置１９から送信される赤外光の信号を受信する受信部１８、表示部２０等が設けられている。
遠隔操作装置１９は、電源ボタン、再生ボタン、記録ボタン、複製ボタン等を有する操作部を備えており、操作部の操作に応じた赤外線の信号を送信する。受信部１８は、遠隔操作装置１９から送信された赤外線の信号を受信し、操作部の操作状態を検出する。
表示部２０は、液晶ディスプレイを備えており、データ記録再生装置の動作状態、時刻等を表示する。
【００３９】
図２は、ハードディスク１４及びＤＶＤ１５が記憶しているデータの内容を示す模式図である。
ハードディスク１４は、例えばＤＶＤ−Ｖｉｄｅｏ規格に準拠したストリームデータを記録している。
また、ハードディスク１４は、ストリームデータのサイズ、チャプタ境界の位置等の情報、つまりストリームデータを複数のチャプタに区分するための制御情報を記憶している。チャプタ境界位置の制御情報によりストリームデータは、第１乃至第Ｎチャプタに区分されている（但し、Ｎは自然数である）。
【００４０】
ＤＶＤ１５は、データが記録される第１記録層１５ａ及び第２記録層１５ｂを有している。
【００４１】
図３及び図４は、ストリームデータの記録に係る制御部１６の処理手順を示すフローチャート、図５は、ハードディスク１４及びＤＶＤ１５に記録されるデータの内容を示す模式図である。以下、ハードディスク１４に記録されたストリームデータをＤＶＤ１５に記録する場合を説明する。
制御部１６は、遠隔操作装置１９の複製ボタンの操作を検出した場合、ハードディスク１４が記憶しているストリームデータの制御情報、及びファイル管理情報を読み出し（ステップＳ１１）、ハードディスク１４が記憶しているストリームデータの容量を特定する（ステップＳ１２）。
【００４２】
次いで、制御部１６は、ＤＶＤ１５が有する第１記録層１５ａ及び第２記録層１５ｂの記憶容量を検出する（ステップＳ１３）。具体的には、フォーマットされたＤＶＤ１５のファイル管理情報をＤＶＤドライブ１３に読み出させ、読み出されたファイル管理情報に基づいて、第１記録層１５ａ及び第２記録層１５ｂの記憶容量を検出する。
【００４３】
次いで、制御部１６は、ストリームデータの容量がＤＶＤ１５の記憶容量、つまり第１記録層１５ａ及び第２記録層１５ｂの総記憶容量以下であるか否かを判定する（ステップＳ１４）。
【００４４】
ストリームデータの容量がＤＶＤ１５の記憶容量より大きいと判定した場合（ステップＳ１４：ＮＯ）、制御部１６は、容量不足である旨の警告を表示部２０に表示させ（ステップＳ１５）、ストリームデータの記録に係る処理を終える。ストリームデータの容量がＤＶＤ１５の記憶容量以下であると判定した場合（ステップＳ１４：ＹＥＳ）、制御部１６は、制御情報に基づいてストリームデータのチャプタ数Ｎを特定する（ステップＳ１６）。例えば、制御情報はストリームデータを第１チャプタ乃至第Ｎチャプタに区分する情報を有している。
【００４５】
次いで、制御部１６は、チャプタ数Ｎを変数ｎに設定する（ステップＳ１７）。そして、制御部１６は、制御情報に基づいて、第１チャプタ乃至第ｎチャプタからなる第１ストリームデータ部分の容量を特定する（ステップＳ１８）。次いで、第１ストリームデータ部分の容量が第１記録層１５ａの記憶容量以下であるか否かを判定する（ステップＳ１９）。
【００４６】
第１記録層１５ａの記憶容量より大きいと判定した場合（ステップＳ１９：ＮＯ）、制御部１６は、ｎが１であるか否かを判定する（ステップＳ２０）。ｎが１であると判定した場合（ステップＳ２０：ＹＥＳ）、後述の警告に係る処理を実行する。ｎが１でないと判定した場合（ステップＳ２０：ＮＯ）、制御部１６は、ｎから１を減算し（ステップＳ２１）、処理をステップＳ１８へ戻す。
【００４７】
第１ストリームデータ部分の容量が第１記録層１５ａの記憶容量以下であると判定した場合（ステップＳ１９：ＹＥＳ）、ｎをＭに代入する（ステップＳ２２）。Ｍは、ＤＶＤ１５が有する第１記録層１５ａに記録するチャプタ番号の最大値を示している。
【００４８】
ステップＳ２２の処理を終えた場合、制御部１６は、制御情報に基づいて、第（Ｍ＋１）チャプタ乃至第Ｎチャプタからなる第２ストリームデータ部分の容量を特定する（ステップＳ２３）。
【００４９】
次いで、制御部１６は、第２ストリームデータ部分の容量がＤＶＤ１５の第２記録層１５ｂの記憶容量以下であるか否かを判定する（ステップＳ２４）。第２ストリームデータ部分の容量がＤＶＤ１５の第２記録層１５ｂの記憶容量より大きいと判定した場合（ステップＳ２４：ＮＯ）、又はステップＳ２０でｎが１であると判定した場合（ステップＳ２０：ＹＥＳ）、制御部１６は、チャプタ同士の区切り目以外の部分で映像が一時停止する虞がある旨の警告を表示部２０に表示させる（ステップＳ２５）。
【００５０】
ステップＳ２５の処理を終えた場合、制御部１６は、記録の可否を受け付け（ステップＳ２６）、ストリームデータを記録するか否かを判定する（ステップＳ２７）。制御部１６は、記録の可否を、遠隔操作装置１９から送信される信号を受信部１８で受信することによって受け付ける。ストリームデータを記録すると判定した場合（ステップＳ２７：ＹＥＳ）、制御部１６は、ストリームデータをＤＶＤ１５の第１記録層１５ａ及び第２記録層１５ｂに記録する（ステップＳ２８）。
【００５１】
ステップＳ２８の処理を終えた場合、又はストリームデータを記録しないと判定した場合（ステップＳ２７：ＮＯ）、制御部１６は、ストリームデータの記録に係る処理を終える。
【００５２】
第２ストリームデータ部分の容量がＤＶＤ１５の第２記録層１５ｂの記憶容量以下であると判定した場合（ステップＳ２４：ＹＥＳ）、制御部１６は、第１記録層１５ａの記憶容量から第１ストリームデータ部分の容量を減算した残容量を算出する（ステップＳ２９）。
【００５３】
次いで、制御部１６は、ステップＳ２９で算出した残容量と同容量のダミーデータを第１記録層１５ａに記録する（ステップＳ３０）。ダミーデータは、再生不能なデータである。図５（ａ）は、ＤＶＤ１５が有する第１記録層１５ａにダミーデータが記録された状態を示している。
【００５４】
そして、制御部１６は、第１乃至第Ｎチャプタからなる第１ストリームデータ部分をＤＶＤ１５の第１記録層１５ａに記録する（ステップＳ３１）。第１ストリームデータ部分及びダミーデータが記録された場合、図５（ｂ）に示すように、ＤＶＤ１５が有する第１記録層１５ａに空き容量が無い状態になる。
【００５５】
次いで、制御部１６は、第（Ｍ＋１）チャプタ乃至第Ｎチャプタからなる第２ストリームデータ部分をＤＶＤ１５の第２記録層１５ｂに記録し（ステップＳ３２）、ストリームデータの記録に係る処理を終える。図５（ｃ）は、第２記録層１５ｂに第（Ｍ＋１）チャプタ乃至第Ｎチャプタからなる第２ストリームデータ部分が記録された状態を示している。
【００５６】
実施の形態１に係るデータ記録方法及びデータ記録再生装置にあっては、時系列順のストリームデータを複数のデータ部分に区分するための制御情報を用いて、ストリームデータを第１及び第２ストリームデータ部分に分け、ＤＶＤ１５の第１記録層１５ａ及び第２記録層１５ｂに記録する。
従って、ＤＶＤ１５に記録されたストリームデータを再生した場合に生ずる映像停止箇所を、第Ｍチャプタと第（Ｍ＋１）チャプタの区切り目に一致させることができ、映像の停止を目立たなくすることができる。例えば、ハードディスク１４に記録されたストリームデータがチャプタで適切に区分されている場合、ハイライトシーンで映像が停止することを避けることができる。
【００５７】
特に、コピーワンスのストリームデータをＤＶＤ１５に記録する場合、ＤＶＤ１５に記録されたストリームデータはハードディスク１４から削除され、ストリームデータの編集が制限されるため、効果的である。
【００５８】
また、ＤＶＤ１５の第１記録層１５ａにデータの不連続部分が生ずることを防ぐことができる。また、ダミーデータを記録することで、所定の規格に適合させることができる。
【００５９】
なお、実施の形態１にあっては、動画のストリームデータをＤＶＤ１５に記録する場合を説明したが、時系列順のデータ、例えば音声のストリームデータを記録する場合に本発明を適用しても良い。
【００６０】
また、第１記録層１５ａにダミーデータを記録するように構成してあるが、ダミーデータを記録しないように構成しても良い。
【００６１】
（実施の形態２）
図６及び図７は、実施の形態２におけるストリームデータの記録に係る制御部１６の処理手順を示すフローチャートである。以下、ハードディスク１４に記録されたストリームデータを記録層をＤＶＤ１５に記録する場合を説明する。
【００６２】
制御部１６は、遠隔操作装置１９の複製ボタンの操作を検出した場合、ハードディスク１４からストリームデータの制御情報を読み出す（ステップＳ１０１）。そして、制御部１６は、ストリームデータのチャプタ数Ｎを特定する（ステップＳ１０２）。次いで、制御部１６は、各チャプタに係るストリームデータ部分の容量を特定する（ステップＳ１０３）。
【００６３】
次いで、制御部１６は、所定容量以上のチャプタがあるか否かを判定する（ステップＳ１０４）。所定容量は、例えばＤＶＤ１５に記録可能な最大の記憶容量である。所定容量以上のチャプタがあると判定した場合（ステップＳ１０４：ＹＥＳ）、制御部１６は、より低容量のチャプタに分割すべき旨を警告し（ステップＳ１０５）、ストリームデータの記録に係る処理を終える。
【００６４】
所定容量以上のチャプタがないと判定した場合（ステップＳ１０４：ＮＯ）、制御部１６は、変数ｍに１を設定する（ステップＳ１０６）。次いで、制御部１６は、変数ｎにチャプタ数Ｎを設定する（ステップＳ１０７）。
【００６５】
次いで、制御部１６は、第ｍチャプタ乃至第ｎチャプタからなるストリームデータ部分の容量を特定する（ステップＳ１０８）。そして、制御部１６は、ＤＶＤ１５の容量を検出する（ステップＳ１０９）。
【００６６】
次いで、ストリームデータ部分の容量がＤＶＤ１５の記憶容量以下であるか否かを判定する（ステップＳ１１０）。ストリームデータ部分の容量がＤＶＤ１５の記憶容量より大きいと判定した場合（ステップＳ１１０：ＮＯ）、制御部１６は、ｎから１を減算し（ステップＳ１１１）、処理をステップＳ１０８へ戻す。
【００６７】
ストリームデータ部分の容量がＤＶＤ１５の記憶容量以下であると判定した場合（ステップＳ１１０：ＹＥＳ）、制御部１６は、第ｍチャプタ乃至第ｎチャプタからなるストリームデータ部分をＤＶＤ１５に記録する（ステップＳ１１２）。そして、制御部１６は、ｎに１を加算した値をｍに代入する（ステップＳ１１３）。
【００６８】
次いで、制御部１６は、ｍがＮ以下であるか否かを判定する（ステップＳ１１４）。ｍがＮより大きいと判定した場合（ステップＳ１１４：ＮＯ）、制御部１６は、ストリームデータの記録に係る処理を終える。
【００６９】
ｍがＮ以下であると判定した場合（ステップＳ１１４：ＹＥＳ）、制御部１６は、ＤＶＤ１５の交換を要する旨を表示部２０に表示させる（ステップＳ１１５）。そして、制御部１６は、ＤＶＤ１５が交換されたか否かを判定する（ステップＳ１１６）。ＤＶＤ１５が交換されていないと判定した場合（ステップＳ１１６：ＮＯ）、制御部１６は、処理をステップＳ１１６へ戻す。ＤＶＤ１５が交換されていると判定した場合（ステップＳ１１６：ＹＥＳ）、制御部１６は、処理をステップＳ１０７へ戻す。
【００７０】
実施の形態２に係るデータ記録方法及びデータ記録再生装置にあっては、ストリームデータを、チャプタ等でストリームデータ部分に区分して各ＤＶＤ１５に記録するため、再生される映像の終端をチャプタ間の区切り目に一致させることができる。つまり、再生される映像が中途半端な箇所で停止しないように、ストリームデータを記録媒体に記録することができる。
特に、コピーワンスのストリームデータをＤＶＤ１５に記録する場合、ＤＶＤ１５に記録されたストリームデータはハードディスク１４から削除され、ストリームデータの編集が制限されるため、効果的である。
【００７１】
また、時系列順のデータを、チャプタ等でデータ部分に区分して複数のＤＶＤ１５に記録することができる。
更に、一のＤＶＤ１５にストリームデータ部分を記録したときに未記録のストリームデータ部分がある場合、ＤＶＤ１５の交換を要する旨を表示部２０に表示させ、その旨の情報を報知することができる。
なお、報知方法は、これに限定されない。例えば発光ダイオードの点灯、ＯＳＤ表示にて報知しても良い。
【００７２】
実施の形態２に係るデータ記録方法及びデータ記録再生装置の他の構成、作用及び効果は、実施の形態１に係るデータ記録方法及びデータ記録再生装置の構成、作用及び効果と同様であるため、対応する箇所には同様の符号を付してその詳細な説明を省略する。
【図面の簡単な説明】
【００７３】
【図１】本発明の実施の形態１に係るデータ記録方法を実施するデータ記録再生装置のブロック図である。
【図２】ハードディスク及びＤＶＤが記憶しているデータの内容を示す模式図である。
【図３】ストリームデータの記録に係る制御部の処理手順を示すフローチャートである。
【図４】ストリームデータの記録に係る制御部の処理手順を示すフローチャートである。
【図５】ハードディスク及びＤＶＤに記録されるデータの内容を示す模式図である。
【図６】実施の形態２におけるストリームデータの記録に係る制御部の処理手順を示すフローチャートである。
【図７】実施の形態２におけるストリームデータの記録に係る制御部の処理手順を示すフローチャートである。
【符号の説明】
【００７４】
１  デジタルチューナ
２  復調部
３  切換部
４  分離部
５  ビデオデコーダ
６  音声デコーダ
７  ＥＰＧデコーダ
８  ＯＳＤ表示処理部
９  ビデオ信号出力部
１０  音声信号出力部
１１  ＭＰＥＧ符号化部
１２  ハードディスクドライブ
１３  ＤＶＤドライブ
１３ａ  ＤＶＤ装着部
１４  ハードディスク
１５  ＤＶＤ
１５ａ  第１記録層
１５ｂ  第２記録層
１６  制御部
１７  バッファメモリ
１８  受信部
１９  遠隔操作装置
２０  表示部
Ａ  アンテナ
【図１】
2007265474.tif 000003
【図２】
2007265474.tif 000004
【図３】
2007265474.tif 000005
【図４】
2007265474.tif 000006
【図５】
2007265474.tif 000007
【図６】
2007265474.tif 000008
【図７】
2007265474.tif 000009